(57)【要約】【課題】周囲環境に応じた表示部の視野角制御を行うにあたり消費電力量の低減が図られるようにする。【解決手段】視野角制御部は、位置情報取得部（ＧＰＳ）により取得された位置情報に基づいて視野角可変表示部の視野角を制御する。ただし、ＲＦＩＤタグの通信結果とＲＦＩＤタグの通信履歴情報に基づいて、通勤などの既定行動により公共交通機関を利用している状態であることを判定した場合には、位置情報取得部の動作を停止させたうえで、視野角を狭くするように制御する。【選択図】図４
2013015649.tif 000002
【特許請求の範囲】
【請求項１】
位置情報を取得する位置情報取得部と、
位置情報に視野角を対応付けた位置情報／視野角テーブルを少なくとも記憶する記憶部と、
外部環境において設置されるリーダ／ライタ装置と通信を行う通信タグと、
前記通信タグと前記リーダ／ライタ装置の通信結果を通信履歴情報に登録し、当該通信履歴情報を前記記憶部に記憶させる通信履歴情報管理部と、
今回の前記通信タグと前記リーダ／ライタ装置の通信結果と同じとみなされる内容の通信結果が前記通信履歴情報に登録済みであるか否かについて判定する登録状況判定部と、
前記登録状況判定部により登録済みでないと判定された場合には、前記位置情報取得部に位置情報を取得させるとともに、当該取得された位置情報に対応付けられた視野角を前記位置情報／視野角テーブルから検索し、当該検索された視野角となるように表示部に対する視野角制御を実行し、前記登録状況判定部により登録済みであると判定された場合には、前記位置情報取得部による位置情報の取得を停止させるとともに、所定の視野角となるように前記表示部に対して視野角制御を実行する視野角制御部と
を備えることを特徴とする視野角制御装置。
【請求項２】
前記通信履歴情報管理部は、
前記通信結果として、公共交通機関への乗車に応じて前記リーダ／ライタ装置と通信した際の乗車対応時刻と、降車に応じて前記リーダ／ライタ装置と通信した際の降車対応時刻とを少なくとも対応付けて前記通信履歴情報に登録し、
前記登録状況判定部は、
今回の前記通信タグと前記リーダ／ライタ装置の通信結果が示す乗車対応時刻が、前記通信履歴情報に登録されている乗車対応時刻と同じとされる場合に、今回の前記通信タグと前記リーダ／ライタ装置の通信結果が前記通信履歴情報に登録済みであると判定し、
前記視野角制御装置は、
前記登録状況判定部により登録済みであるとの判定に応じて実行した視野角制御を前記降車対応時刻に至ったタイミングで終了させる
ことを特徴とする請求項１に記載の視野角制御装置。
【請求項３】
一定以上の速度で移動中であるか否かについて判定する移動判定部をさらに備え、
前記視野角制御装置は、
前記移動判定部により一定以上の速度で移動中であると判定されている場合に、前記位置情報取得部による位置情報の取得を停止させるとともに、所定の視野角となるように前記表示部に対する視野角制御を実行する
ことを特徴とする請求項１または２に記載の視野角制御装置。
【請求項４】
前記視野角制御部は、
外部との無線通信により取得された端末数情報が示す周囲の無線端末装置の数が一定以上である場合に、前記位置情報取得部による位置情報の取得を停止させるとともに、前記端末数情報が示す無線端末装置の数に応じて設定した視野角となるように前記表示部に対する視野角制御を実行する
ことを特徴とする請求項１から３のいずれか一項に記載の視野角制御装置。
【請求項５】
光度センサにより検出された光度に基づいて前記視野角制御部により制御される前記表示部の視野角を補正する視野角補正部をさらに備える
ことを特徴とする請求項１から４のいずれか一項に記載の視野角制御装置。
【請求項６】
視野角が可変の表示部と、
位置情報を取得する位置情報取得部と、
位置情報に視野角を対応付けた位置情報／視野角テーブルを少なくとも記憶する記憶部と、
外部環境において設置されるリーダ／ライタ装置と通信を行う通信タグと、
前記通信タグと前記リーダ／ライタ装置の通信結果を通信履歴情報に登録し、当該通信履歴情報を前記記憶部に記憶させる通信履歴情報管理部と、
今回の前記通信タグと前記リーダ／ライタ装置の通信結果と同じとみなされる内容の通信結果が前記通信履歴情報に登録済みであるか否かについて判定する登録状況判定部と、
前記登録状況判定部により登録済みでないと判定された場合には、前記位置情報取得部に位置情報を取得させるとともに、当該取得された位置情報に対応付けられた視野角を前記位置情報／視野角テーブルから検索し、当該検索された視野角となるように前記表示部に対する視野角制御を実行し、前記登録状況判定部により登録済みであると判定された場合には、前記位置情報取得部による位置情報の取得を停止させるとともに、所定の視野角となるように前記表示部に対して視野角制御を実行する視野角制御部と
を備えることを特徴とする表示装置。
【請求項７】
外部環境において設置されるリーダ／ライタ装置と通信タグとの通信結果を通信履歴情報に登録し、当該通信履歴情報を記憶部に記憶させる通信履歴情報管理ステップと、
今回の前記通信タグと前記リーダ／ライタ装置の通信結果と同じとみなされる内容の通信結果が前記通信履歴情報に登録済みであるか否かについて判定する登録状況判定ステップと、
前記登録状況判定ステップにより登録済みでないと判定された場合には、位置情報取得部により位置情報を取得させるとともに、当該取得された位置情報に対応付けられた視野角を前記記憶部に記憶される位置情報／視野角テーブルから検索し、当該検索された視野角となるように表示部に対する視野角制御を実行し、前記登録状況判定ステップにより登録済みであると判定された場合には、前記位置情報取得部による位置情報の取得を停止させるとともに、所定の視野角となるように前記表示部に対して視野角制御を実行する視野角制御ステップと
を備えることを特徴とする視野角制御方法。
【請求項８】
コンピュータを、
外部環境において設置されるリーダ／ライタ装置と通信タグとの通信結果を通信履歴情報に登録し、当該通信履歴情報を記憶部に記憶させる通信履歴情報管理手段、
今回の前記通信タグと前記リーダ／ライタ装置の通信結果と同じとみなされる内容の通信結果が前記通信履歴情報に登録済みであるか否かについて判定する登録状況判定手段、
前記登録状況判定ステップにより登録済みでないと判定された場合には、位置情報取得部により位置情報を取得させるとともに、当該取得された位置情報に対応付けられた視野角を前記記憶部に記憶される位置情報／視野角テーブルから検索し、当該検索された視野角となるように表示部に対する視野角制御を実行し、前記登録状況判定ステップにより登録済みであると判定された場合には、前記位置情報取得部による位置情報の取得を停止させるとともに、所定の視野角となるように前記表示部に対して視野角制御を実行する視野角制御手段
として機能させるためのプログラム。
【発明の詳細な説明】
【技術分野】
【０００１】
本発明は、例えば液晶表示デバイスなどの視野角を制御する視野角制御装置、表示装置、視野角制御方法およびプログラムに関する。
【背景技術】
【０００２】
携帯電話などに代表される携帯型端末装置は、例えば電車やバスの車内などをはじめとする公共の場で使用される機会も多い。この際、画面に表示された内容が他人に見えてしまうことでユーザのプライバシーが侵害されるという問題がある。
【０００３】
また、近年においては、視野角を制御可能な液晶ディスプレイが知られるようになってきている。一例として、特許文献１には、２枚のガラス板の間に封入された液晶分子の配向を変更することにより液晶ディスプレイの視野角を変更制御する技術が記載されている。
【０００４】
上記したことを背景として、機器の表示部の視野角制御に関して特許文献２に記載される技術が知られている。つまり、携帯電話装置の視野角の変更が可能な表示部を設けるとともに、位置・視野角対応テーブルを記憶させる。この位置・視野角対応テーブルは、位置情報と視野角とを対応付けた構造を有している。そのうえで、携帯電話は、内蔵のＧＰＳを利用して位置情報を取得し、位置・視野角対応テーブルから、上記取得した位置情報に対応付けられている視野角を検索する。そして、この検索された視野角を表示部に設定するというものである（例えば、特許文献１参照）。このような構成により、携帯電話の周囲環境に応じて表示部の視野角を自動的に変更することが可能になる。
【先行技術文献】
【特許文献】
【０００５】
【特許文献１】特開２００４−６２０９４号公報
【特許文献２】特開２００７−３３９３５号公報
【発明の概要】
【発明が解決しようとする課題】
【０００６】
しかし、上記特許文献２に記載の構成では、周囲環境に応じた視野角制御のために定常的に自己の位置情報を取得する動作を実行している必要があり、具体的には、ＧＰＳ対応の通信部を常時動作させている必要があることになる。このために、ＧＰＳ対応の通信部による電力消費量が増加してしまい、バッテリの持続時間が短くなってしまうなどの問題を招く。
【０００７】
そこで、本発明は、上述の課題を解決することのできる視野角制御装置、表示装置、視野角制御方法、プログラムを提供することを目的とする。
【課題を解決するための手段】
【０００８】
本発明は、上述の課題を解決すべくなされたもので、本発明の一態様による視野角制御装置は、位置情報を取得する位置情報取得部と、位置情報に視野角を対応付けた位置情報／視野角テーブルを少なくとも記憶する記憶部と、外部環境において設置されるリーダ／ライタ装置と通信を行う通信タグと、前記通信タグと前記リーダ／ライタ装置の通信結果を通信履歴情報に登録し、当該通信履歴情報を前記記憶部に記憶させる通信履歴情報管理部と、今回の前記通信タグと前記リーダ／ライタ装置の通信結果と同じとみなされる内容の通信結果が前記通信履歴情報に登録済みであるか否かについて判定する登録状況判定部と、前記登録状況判定部により登録済みでないと判定された場合には、前記位置情報取得部に位置情報を取得させるとともに、当該取得された位置情報に対応付けられた視野角を前記位置情報／視野角テーブルから検索し、当該検索された視野角となるように表示部に対する視野角制御を実行し、前記登録状況判定部により登録済みであると判定された場合には、前記位置情報取得部による位置情報の取得を停止させるとともに、所定の視野角となるように前記表示部に対して視野角制御を実行する視野角制御部とを備える。
【０００９】
また、本発明の一態様による表示装置は、視野角が可変の表示部と、位置情報を取得する位置情報取得部と、位置情報に視野角を対応付けた位置情報／視野角テーブルを少なくとも記憶する記憶部と、外部環境において設置されるリーダ／ライタ装置と通信を行う通信タグと、前記通信タグと前記リーダ／ライタ装置の通信結果を通信履歴情報に登録し、当該通信履歴情報を前記記憶部に記憶させる通信履歴情報管理部と、今回の前記通信タグと前記リーダ／ライタ装置の通信結果と同じとみなされる内容の通信結果が前記通信履歴情報に登録済みであるか否かについて判定する登録状況判定部と、前記登録状況判定部により登録済みでないと判定された場合には、前記位置情報取得部に位置情報を取得させるとともに、当該取得された位置情報に対応付けられた視野角を前記位置情報／視野角テーブルから検索し、当該検索された視野角となるように前記表示部に対する視野角制御を実行し、前記登録状況判定部により登録済みであると判定された場合には、前記位置情報取得部による位置情報の取得を停止させるとともに、所定の視野角となるように前記表示部に対して視野角制御を実行する視野角制御部とを備える。
【００１０】
また、本発明の一態様による視野角制御方法は、外部環境において設置されるリーダ／ライタ装置と通信タグとの通信結果を通信履歴情報に登録し、当該通信履歴情報を記憶部に記憶させる通信履歴情報管理ステップと、今回の前記通信タグと前記リーダ／ライタ装置の通信結果と同じとみなされる内容の通信結果が前記通信履歴情報に登録済みであるか否かについて判定する登録状況判定ステップと、前記登録状況判定ステップにより登録済みでないと判定された場合には、位置情報取得部により位置情報を取得させるとともに、当該取得された位置情報に対応付けられた視野角を前記記憶部に記憶される位置情報／視野角テーブルから検索し、当該検索された視野角となるように表示部に対する視野角制御を実行し、前記登録状況判定ステップにより登録済みであると判定された場合には、前記位置情報取得部による位置情報の取得を停止させるとともに、所定の視野角となるように前記表示部に対して視野角制御を実行する視野角制御ステップとを備える。
【００１１】
また、本発明の一態様によるプログラムは、コンピュータを、外部環境において設置されるリーダ／ライタ装置と通信タグとの通信結果を通信履歴情報に登録し、当該通信履歴情報を記憶部に記憶させる通信履歴情報管理手段、今回の前記通信タグと前記リーダ／ライタ装置の通信結果と同じとみなされる内容の通信結果が前記通信履歴情報に登録済みであるか否かについて判定する登録状況判定手段、前記登録状況判定ステップにより登録済みでないと判定された場合には、位置情報取得部により位置情報を取得させるとともに、当該取得された位置情報に対応付けられた視野角を前記記憶部に記憶される位置情報／視野角テーブルから検索し、当該検索された視野角となるように表示部に対する視野角制御を実行し、前記登録状況判定ステップにより登録済みであると判定された場合には、前記位置情報取得部による位置情報の取得を停止させるとともに、所定の視野角となるように前記表示部に対して視野角制御を実行する視野角制御手段として機能させる。
【発明の効果】
【００１２】
本発明によれば、周囲環境に応じた表示部の視野角制御を行うにあたり消費電力量の低減が図られるという効果が得られる。
【図面の簡単な説明】
【００１３】
【図１】本発明の実施形態としての携帯電話の外観例を示す図である。
【図２】本実施形態における視野角可変表示部の視野角について説明するための図である。
【図３】本実施形態としての携帯電話の構成例を示す図である。
【図４】本実施形態としての携帯電話における視野角制御に関連する機能部の構成を示す図である。
【図５】本実施形態における位置情報／視野角テーブルの構造例を示す図である。
【図６】本実施形態における通信履歴情報の構造例を示す図である。
【図７】本実施形態の携帯電話が実行する視野角制御のための処理手順例を示す図である。
【図８】本実施形態の携帯電話が実行する視野角補正のための処理手順例を示す図である。
【図９】本実施形態の携帯電話が実行する通信履歴情報作成のための処理手順例を示す図である。
【発明を実施するための形態】
【００１４】
図１は、本実施形態としての視野角制御装置を備える携帯電話１００の外観例を示している。本実施形態の携帯電話１００は、折りたたみ型または二つ折り型などといわれるタイプとされ、この図においては、その上側筐体部１０１が下側筐体部１０２に対して開かれた状態を示している。図１（ａ）は、携帯電話１００を正面からみた正面図であり、図１（ｂ）は側面図であり、図１（ｃ）は背面図である。
【００１５】
図１（ａ）に示すように、携帯電話１００の上側筐体部１０１の正面側のパネルには、視野角可変表示部１８０の表示画面部が配置される。また、同じ上側筐体部１０１の正面パネルには、光度センサ１９３が設けられる。なお、光度センサ１９３については、携帯電話１００の周囲の光度を検出できるようにされていれば、携帯電話１００におけるどの位置に設けられてもよい。また、下側筐体部１０２の正面側のパネルには各種のキーが配置された操作部１７０が設けられる。
【００１６】
また、図１（ｃ）に示すように、携帯電話１００の下側筐体部１０２の背面には撮像部１６０におけるレンズ部分が配置されている。また、携帯電話１００の内部にはＲＦＩＤタグ１９４が備えられる。このＲＦＩＤタグ１９４を備えることで、本実施形態の携帯電話１００は、乗車カードとしての機能を有する。
【００１７】
また、携帯電話１００には、表示部として視野角可変表示部１８０を備える。視野角可変表示部１８０は、その視野角を変更可能に構成されている。図２は、視野角可変表示部１８０の視野角を模式的に示している。この図は、視野角可変表示部１８０を平面方向からみている。
【００１８】
図２に示すように、視野角可変表示部１８０はα°からβ°の範囲で視野角を変化させることができる。なお、図においては、視野角がα°のときが最も視野角が狭い状態であり、これより外側の角度から視野角可変表示部１８０の画面部を観察しても表示画像は見えない。
【００１９】
なお、視野角可変表示部１８０としての視野角を変更可能なディスプレイデバイスについては特に限定されるものではなく、例えばこれまでに知られている構造のもののうちから適当なものを選択して採用すればよい。
【００２０】
図３は、携帯電話１００の内部構成例を示している。なお、この図において図１と同一とされる部位には同一符号を付している。この図に示す携帯電話１００は、ＣＰＵ１１０、記憶部１２０、ＲＡＭ１３０、送受信部１４０、音声入出力部１５０、撮像部１６０、操作部１７０、視野角可変表示部１８０およびセンサ部１９０を備える。
【００２１】
ＣＰＵ（Central Processing Unit）１００は、記憶部１２０に記憶されるプログラムを実行することにより、携帯電話１００における各種処理および各機能部に対する制御を実行する部位である。
【００２２】
記憶部１２０は、補助記憶装置であり、上記ＣＰＵ１００が実行するプログラムのほか、ＣＰＵ１００が利用する各種データを記憶する部位である。この記憶部１２０のハードウェアとしては、例えばフラッシュメモリなどを採用できる。
【００２３】
ＲＡＭ１３０は、主記憶装置であり、記憶部１２０から読み出されたプログラムが展開されるとともに、ＣＰＵ１１０が演算に際して作業領域として使用される部位である。
【００２４】
送受信部１４０は、無線通信における送信および受信動作を実行する部位である。ＣＰＵ１１０は、例えば送話音声のデータやネットワーク対応の送信データを送受信部１４０に転送する。送受信部１４０は転送された送信データを変調してアンテナより電波として送出する。また、送受信部１４０は、アンテナにて受信した信号を復調して受話音声の音声信号やネットワーク対応のデータを復元する。例えば、復元されたネットワーク対応のデータはＣＰＵ１１０に転送される。ＣＰＵ１１０は転送されたデータに応じて所定の処理や制御を実行する。また、復元された受話音声信号は、例えば後述の音声入出力部１５０におけるスピーカから放出される。
【００２５】
なお、送受信部１４０による通信は、例えば携帯電話の通信網に対応して周囲に設けられる基地局との間で行われるものとなる。本実施の形態において、基地局からは、その基地局と通信が可能な他の携帯電話の数を示す情報（端末数情報）が送信され、送受信部１４０はこの端末数情報を受信することができる。この端末数情報は、後述するように、ＣＰＵ１１０が視野角可変表示部１８０の視野角を制御するのに利用される。
【００２６】
音声入出力部１５０は、音声入力および音声出力に対応する部位を一括して示している。具体的に、図示は省略するが、音声入出力部１５０は、音声入力に対応する部位として、マイクロフォンと音声信号処理部を備える。マイクロフォンは、通話音声などを集音して電気信号に変換する。音声信号処理部は、上記マイクロフォンにより得られる信号をデジタル音声信号に変換する。また、音声入出力部１５０は、音声出力に対応する部位として、音声信号再生処理部とスピーカを備える。音声信号再生処理部は、デジタル音声信号をアナログ信号に変換して増幅を行い、例えばスピーカから音声として放出させる。
【００２７】
撮像部１６０は、撮像を行って得られた画像から画像信号を生成する部位である。例えば撮像部１６０は、ＣＭＯＳセンサやＣＣＤなどの撮像素子やレンズなどの光学系から成るカメラ部と、当該カメラ部により撮像された画像をデジタル画像信号に変換する画像信号処理部から成る。撮像部１６０にて生成されたデジタル画像信号は、ＣＰＵ１１０の制御に応じて記憶部１２０に記憶させることができる。
【００２８】
操作部１７０は、携帯電話１００が備える各種キーなどの操作子を一括して示している。操作部１７０は、操作子に対して行われた操作に応じた操作信号を出力する。ＣＰＵ１１０は、入力した操作信号に応じて所定の制御や処理を実行する。これにより、携帯電話１００においてユーザ操作に応じた所定の動作が実行される。
【００２９】
視野角可変表示部１８０は、ＣＰＵ１１０の制御に応じて各種の画像を表示する部位であり、また、その表示画面の視野角が変更可能とされている。一例として、待ち受け状態においては、視野角可変表示部１８０に待ち受け画面としての画像が表示される。また、通信相手の呼出時には呼出状況を示す画像が表示される。また、記憶部１２０に記憶されている画像データが再生表示される。さらに、撮像モードにおいては、撮像部１６０により撮像されている画像がモニタ画像として表示される。そのうえで、視野角可変表示部１８０は、ＣＰＵ１１０の制御によって、先に図２に例示したように画像表示時の視野角が変更される。
【００３０】
センサ部１９０は、ＣＰＵ１１０が視野角可変表示部１８０に対する視野角制御を行うにあたり必要となる所定の複数の情報を取得するための複数のセンサを一括して示したものである。なお、本実施の形態においては、図１（ｃ）に示したＲＦＩＤタグ１９４の通信結果も視野角制御に利用されることから、ＲＦＩＤタグ１９４もセンサ部１９０に含めることとしている。
【００３１】
図４は、携帯電話１００において、主として視野角制御に関する部位の構成例を示している。なお、この図において、図３と同一部分には同一符号を付している。この図に示す携帯電話１００は、視野角制御に関する部位として、ＣＰＵ１１０、記憶部１２０、送受信部１４０、センサ部１９０を備える。
【００３２】
まず、センサ部１９０について説明する。この図に示すように、センサ部１９０は、位置情報取得部１９１、加速度センサ１９２、光度センサ１９３およびＲＦＩＤタグ１９４を含む。
【００３３】
位置情報取得部１９１は、現在における携帯電話１００の位置情報を取得する部位である。ここで取得された位置情報は、後述するように、携帯電話１００の周囲環境に応じた視野角を特定するのに使用される。また、この位置情報取得部１９１による動作の実行／停止は、後述する視野角制御部１１４により制御される。
【００３４】
本実施の形態において、この位置情報取得部１９１にはＧＰＳ（Global Positioning System）に対応した測位装置が採用されているものとする。ただし、ＧＰＳに限定されることなく、他の方式により自己の位置を測位できる測位装置があれば、これを適用してよい。
【００３５】
加速度センサ１９２は、携帯電話１００が加速度を検出するセンサである。加速度センサ１９２により検出される加速度は、後述の移動判定部１１１が、一定以上の速度で移動中の状態にあるか否かを判定するのに利用される。
【００３６】
光度センサ１９３は、携帯電話１００の周囲における光度を検出するセンサである。この光度センサにより検出された光度は、視野角補正部１１５により視野角可変表示部１８０に対して設定された視野角を補正するのに用いられる。
【００３７】
ＲＦＩＤタグ１９４は、前述のように電車やバスなどの公共交通機関に対応する乗車カードとして利用することができる。そして、本実施の形態においては、後述のように、乗車カードとしてのＲＦＩＤタグ１９４の通信結果を示す情報が視野角制御に利用される。
【００３８】
次に、ＣＰＵ１１０がプログラムを実行することにより実現される、視野角制御に対応した機能部について説明する。これらの機能部として、ＣＰＵ１１０は、移動判定部１１１、通信履歴情報管理部１１２、登録状況判定部１１３、視野角制御部１１４および視野角補正部１１５を備える。
【００３９】
移動判定部１１１は、加速度センサ１９２により検出された加速度に基づいて、携帯電話１００が一定以上の速度で移動している状態であるか否かについて判定する。本実施の形態において、携帯電話１００が一定以上の速度で移動している状態は、携帯電話１００を携帯しているユーザが、電車やバスなどの公共交通機関に乗車中の状態であるものとしてあつかわれる。
【００４０】
通信履歴情報管理部１１２は、ＲＦＩＤタグ１９４が乗車カードとして使用される際のリーダ／ライタ装置との通信結果に基づいて、記憶部１２０に記憶される通信履歴情報１２２を管理する部位である。
【００４１】
通信履歴情報管理部１１２は、通信履歴情報１２２を作成することができる。例えば、上記リーダ／ライタ装置は、電車の駅の改札機（またはバスの運賃支払機）に備えられるものとする。電車（またはバス）に乗車するために乗車駅の改札を通過する際（またはバスに乗り込む際）に、ユーザは、ＲＦＩＤタグ１９４を改札機（またはバスの運賃支払機）のリーダ／ライタ装置と通信させる。通信履歴情報管理部１１２は、この際の通信結果として、その乗車駅（またはバス停）の名称と改札（または運賃支払機）を通過した時刻（乗車対応時刻）を、乗車履歴情報として通信履歴情報１２２に登録する。また、電車（またはバス）から降車して降車駅の改札を通過する際（またはバスを降りる際）にも、そのときのリーダ／ライタ装置との通信結果として、その降車駅（またはバス停）の名称と改札（または運賃支払機）を通過した時刻（降車対応時刻）を、降車履歴情報として通信履歴情報１２２に登録する。このように通信履歴情報管理部１１２は、通信履歴情報を作成して管理することができる。なお、通信履歴情報１２２の構造例については後述する。
【００４２】
登録状況判定部１１３は、通信履歴情報１２２の登録状況として、ＲＦＩＤタグ１９４による通信結果と同じとみなされる内容の乗車履歴情報が登録済みであるか否かについて判定する。ここで、ＲＦＩＤタグ１９４による通信結果と同じとみなされる内容の乗車履歴情報が登録済みであると判定された場合、今回のＲＦＩＤタグ１９４の通信に応じたユーザの行動としては、以下のようなものであると想定できる。つまり、ユーザは、通勤や通学などのために、いつもとほぼ同じ時間帯に乗車駅の改札を通過したものと想定することができる。このような登録状況判定部１１３の判定結果は、後述するように、視野角制御部１１４が視野角の制御および位置情報取得部１９１の動作制御を行う際に利用される。
【００４３】
視野角制御部１１４は、視野角可変表示部１８０の視野角を制御する部位である。この視野角制御部１１４は、位置情報取得部１９１により取得された位置情報に基づいて視野角可変表示部１８０に対する視野角制御を実行可能とされている。この際、視野角制御部１１４は、後述するように、記憶部１２０に記憶される位置情報／視野角テーブル１２１から位置情報取得部１９１により取得された位置情報に対応する視野角を特定し、この特定した視野角となるように視野角可変表示部１８０に対する制御を実行する。
【００４４】
また、視野角制御部１１４は、登録状況判定部１１３の判定結果に基づいて視野角制御を実行可能とされている。ＲＦＩＤタグ１９４による通信結果と同じとみなされる内容の乗車履歴情報が登録済みであると登録状況判定部１１３によって判定される場合、前述のように、ユーザは、通勤や通学などのためにいつもとほぼ同じ時間帯に乗車駅の改札（またはバスの運賃支払機）を通過するという、既定の行動を行ったことを意味する。そして、この後のユーザの状態としては駅のホームに居る、または、電車（またはバス）に乗車中の状態であり、したがって、その周囲は公共の場であって、かつ、周囲に他人が少なからず存在している状況であることになる。
【００４５】
そこで、視野角制御部１１４は、公共交通機関の利用時に対応して予め設定した視野角（公共交通機関対応視野角）となるように視野角可変表示部１８０の視野角を制御する。また、この際には、位置情報取得部１９１により取得される位置情報は不要になる。そこで、視野角制御部１１４は、公共交通機関対応視野角により視野角可変表示部１８０の視野角を制御している期間においては、位置情報取得部１９１の動作を停止させる。
【００４６】
また、視野角制御部１１４は、移動判定部１１１の判定結果に基づいて視野角制御を実行可能とされている。移動判定部１１１により一定以上の速度で移動中であるとの判定結果が得られる場合とは、前述のように、携帯電話１００のユーザが電車やバスなどの公共交通機関の車両に乗車しているものとしてあつかわれる。そこで、移動判定部１１１により移動中であるとの判定結果が得られているときには、公共交通機関対応視野角により視野角可変表示部１８０の視野角を制御する。また、この場合にも、視野角制御部１１４は位置情報取得部１９１の動作を停止させる。これにより、例えばユーザがＲＦＩＤタグを乗車カードとして使用せずに、例えば切符などを購入して公共交通機関を利用するような場合にも対応して自動的に視野角制御を実行することが可能になる。
【００４７】
また、視野角制御部１１４は、基地局から通知される端末数情報に基づいて視野角制御を実行可能とされている。前述のように、送受信部１４０は、基地局から通知される端末数情報を受信する。視野角制御部１１４は、送受信部１４０にて受信された端末数情報が示す端末数に応じて視野角を設定し、この設定した視野角となるように視野角可変表示部１８０の視野角を制御する。
【００４８】
具体例として、端末数情報が示す端末数が一定以下の場合には、周囲にほとんど人が存在しておらず、したがって、携帯電話１００の表示画面が他人から覗かれる機会もほとんどないと考えられる。この場合、視野角制御部１１４は、視野角を狭くするための視野角制御は行わない。
【００４９】
そして、端末数が一定以上となった場合、周囲に一定以上の人が存在して表示画面が他人から覗かれる機会も増えることになる。そこで、この場合、視野角制御部１１４は、視野角を狭くするための視野角制御を行う。このように端末数情報に基づいて視野角制御を実行している際にも、視野角制御部１１４は位置情報取得部１９１の動作を停止させる。
【００５０】
なお、上記端末数情報に基づく視野角制御に際して設定する視野角は、予め定めた固定値としてもよいが、例えば端末数情報が示す端末数に応じて変更してもよい。つまり、端末数が多くなるほど周囲に存在する人の数が多くなり表示画面を覗かれる機会が増加することになる。そこで、端末数が多くなるのに応じて視野角を狭くするように変更する。このようにすれば、周囲の人の数に応じて視野角が変更されることになる。
【００５１】
このように本実施の形態においては、位置情報取得部１９１により取得される位置情報、登録状況判定部１１３によるＲＦＩＤタグ１９４の通信結果についての判定結果、移動判定部１１１による移動状態の判定結果、または、端末数情報のいずれかに基づいて視野角制御を実行することができる。これにより、本実施の形態では、携帯電話１００の周囲環境に応じて常に適切に視野角制御が行われる。
【００５２】
そのうえで、本実施形態は、位置情報取得部１９１により取得される位置情報以外に基づいて視野角制御を行う際には、位置情報取得部１９１の動作を停止させることとしている。つまり、位置情報取得部１９１は定常的に動作するのではなく、位置情報に基づいた視野角制御が必要なときにのみ動作する。これにより、消費電力量が削減され、例えばバッテリの持続時間をより長くすることができる。
【００５３】
また、視野角補正部１１５は、光度センサ１９３により検出される光度に基づいて、上記視野角制御部１１４により設定された視野角を補正する。光度センサ１９３により検出される光度は、携帯電話１００の周囲の明るさを示す。視野角制御はプライバシー保護のために行われるが、表示画面が同じ輝度であっても、周囲が明るくなるのに応じて見にくくなり、逆に周囲が暗くなるほど表示画面の明るさが際立って見やすくなる傾向にある。つまり、周囲が暗くなるほど他人から表示画面が覗かれやすくなる。したがって、周囲が暗くなるのに応じて視野角を狭くしていくように調整を行えば、周囲の明るさに応じてプライバシー保護を的確に行うことが可能になる。
【００５４】
そこで、視野角補正部１１５は、視野角制御部１１４が指定する視野角の値について、光度センサ１９３により検出された光度が低くなるのに応じて小さく（狭く）するように補正して視野角可変表示部１８０に対して出力する。これにより、視野角可変表示部１８０は、周囲の明るさに応じてその視野角が調整されることになる。
【００５５】
なお、例えば視野角可変表示部１８０が視野角駆動用の電圧値に応じて視野角が可変される構成である場合、視野角制御部１１４は、目標の視野角に応じた電圧値を視野角可変表示部１８０内の駆動回路に指定する。これに応じて、視野角補正部１１５は、光度に応じて、上記視野角に応じた電圧値を補正するように動作する。
【００５６】
記憶部１２０は、視野角制御に対応してＣＰＵ１１０が利用するデータとして、位置情報／視野角テーブル１２１と通信履歴情報１２２を記憶する。
【００５７】
位置情報／視野角テーブル１２１は、位置情報に視野角が対応付けられた情報内容を有するもので、位置情報取得部１９１により取得された位置情報に基づいて視野角制御部１１４が視野角制御を実行する際に利用される。
【００５８】
通信履歴情報１２２は、前述のように通信履歴情報管理部１１２により作成されるもので、ＲＦＩＤタグ１９４を乗車カードとして機能させた際の通信結果が記録される。通信履歴情報１２２は、視野角制御に際して登録状況判定部１１３により利用される。つまり、登録状況判定部１１３は、乗車に対応してＲＦＩＤタグ１９４が実行した通信により得られた通信結果の内容について、通信履歴情報１２２に登録済みであるか否かを判定する。前述のように、登録済みであると判定された場合、今回の乗車に応じたＲＦＩＤタグ１９４の通信は、通勤や通学などに対応して毎日ほぼ同じ時刻においてユーザが改札口を通過するという既定の行動が行われたことを意味する。
【００５９】
上記位置情報／視野角テーブル１２１と通信履歴情報１２２の構造例について説明する。まず、図５は、位置情報／視野角テーブル１２１の構造例を示している。この図に示すように位置情報／視野角テーブル１２１は、位置情報ごとに対して場所と視野角の値が対応付けられた構造を有する。位置情報は、例えば緯度および経度からなる。なお、緯度と経度に対してさらに高さの情報が含められてもよい。場所は、対応の位置情報が示す位置が含まれる施設名などを示す。
【００６０】
視野角制御部１１４は、位置情報／視野角テーブル１２１から、位置情報取得部１９１により取得された位置情報に一致するとされる位置情報に対応付けられた視野角を取得する。なお、この位置情報／視野角テーブル１２１は、製造者側において予め作成して記憶部１２０に記憶させておくこととすればよい。そのうえで、例えば、ユーザによって新たな位置情報、場所および視野角範囲の組み合わせを追加登録できるようにしてもよい。また、位置情報／視野角テーブル１２１において、場所の属性は省略することができる。しかし、例えば上記のようにユーザによる登録が可能なように構成した場合に、場所の属性を含めて、位置情報／視野角テーブル１２１の管理のために表示される管理画面に場所の名称を表示できるようにすれば、ユーザが管理しやすくなって好ましい。
【００６１】
図６は、通信履歴情報１２２の構造例を示している。この図に示す通信履歴情報は、乗車履歴情報と降車履歴情報を対応付けたレコードを複数格納した構造を有する。乗車履歴情報は、乗車駅（またはバス停）名と乗車対応時刻から成る。乗車駅名は、乗車した駅の名称を示す。この乗車駅名の情報は、乗車駅の改札機（またはバスの運賃支払機）のリーダ・ライタ装置とＲＦＩＤタグ１９４が通信を行った際にリーダ・ライタ装置から送信される駅名（またはバス停）のデータを受信することにより取得できる。また、乗車対応時刻は、乗車駅の改札機（またはバスの運賃支払機）のリーダ・ライタ装置とＲＦＩＤタグ１９４が通信を行った時刻を示す。例えば、この時刻の情報もリーダ・ライタ装置から送信される時刻のデータをＲＦＩＤタグ１９４が受信することにより取得できる。
【００６２】
また、降車履歴情報は、降車駅名と降車対応時刻から成る。降車駅名は、降車した駅の名称を示す。乗車対応時刻は、乗車駅の改札機のリーダ・ライタ装置とＲＦＩＤタグ１９４が通信を行った時刻を示す。
【００６３】
図７のフローチャートは、視野角制御のためにＣＰＵ１１０が実行する処理手順例を示している。この図に示す処理は、図４に示した移動判定部１１１、登録状況判定部１１３、視野角制御部１１４のいずれかが適宜実行するものとしてみることができる。
【００６４】
まず、登録状況判定部１１３は、ＲＦＩＤタグ１９４が公共交通機関の乗車時に対応した改札機との通信（乗車対応通信）を実行したか否かについて判定する（ステップＳ１０１）。ここで、ＲＦＩＤタグ１９４が上記乗車対応通信を実行したと判定された場合（ステップＳ１０１−ＹＥＳ）、登録状況判定部１１３は、通信履歴情報１２２を参照する（ステップＳ１０２）。そして、今回の乗車対応通信の通信結果として取得された乗車履歴情報（乗車駅名と乗車対応時刻）が通信履歴情報１２２に登録済みであるか否かについて判定する（ステップＳ１０３）。
【００６５】
上記の判定処理に際して、登録状況判定部１１３は、今回の乗車対応通信により取得された乗車履歴情報（乗車駅名と乗車対応時刻）と一致する内容の乗車履歴情報を通信履歴情報１２２から検索することになる。しかし、乗車対応時刻に関しては、例えば通勤や通学などのために毎日ほぼ同じ時刻に改札口を通過するとしても、或る程度のばらつきがあるために完全に一致するものではない。そこで、上記検索に際して、乗車対応時刻については、今回の通信結果が示す乗車対応時刻の前後に一定のマージンを設定し、このマージンの範囲に含まれていれば乗車対応時刻が一致するものとしてあつかうものとする。
【００６６】
そして、今回の通信結果としての乗車履歴情報に一致するとされる乗車履歴情報が通信履歴情報１２２から検索されたのであれば、今回の通信に応じた乗車履歴情報が、通信履歴情報１２２に登録済みであると判定することになる。登録済みであるということは、前述のように、今回の通信に応じた改札口の通過が、通勤や通学などの毎日同じユーザの行動において行われたものであることを意味する。つまり、周囲環境としては駅のホームまたは車内であり、多くの人が存在しているものと想定されることになる。
【００６７】
上記のように登録済みであると判定した場合（ステップＳ１０３−ＹＥＳ）、視野角制御部１１４は、位置情報取得部１９１の動作を停止させる（ステップＳ１０４）。これとともに、例えば公共交通機関の乗車時において適切であるとして予め設定した視野角（公共交通機関対応視野角）となるように視野角可変表示部１８０に対する視野角制御を実行する（ステップＳ１０５）。具体的には、例えば設定した視野角に対応した視野角駆動用の電圧値を視野角可変表示部１８０に対して出力する。
【００６８】
また、登録状況判定部１１３は、上記ステップＳ１０５による視野角制御が実行されている状態のもとで、ＲＦＩＤタグ１９４が公共交通機関の乗車に対応した改札機との通信（降車対応通信）を実行するのを待機している（ステップＳ１０６−ＮＯ）。降車対応通信が行われたということは、ユーザが公共交通機関の車両を降りたことを意味している。そこで、降車対応通信が行われたことが判定された場合には（ステップＳ１０６−ＹＥＳ）、ステップＳ１０１に戻る。
【００６９】
また、乗車対応通信が実行されない（ステップＳ１０１−ＮＯ）、または、今回の通信結果としての乗車履歴情報が通信履歴情報１２２に登録済みでないと判定された場合（ステップＳ１０３−ＮＯ）には、移動判定部１１１により以下の処理が実行される。
【００７０】
つまり、移動判定部１１１は、加速度センサ１９２にて検出される加速度値を入力する（ステップＳ１０７）。そして、移動判定部１１１は、例えば入力した加速度値の単位時間における変動パターンに基づいて、一定以上の速度で移動中の状態にあるか否かについて判定する（ステップＳ１０８）。
【００７１】
そして、移動中の状態であると判定された場合（ステップＳ１０８−ＹＥＳ）、視野角制御部１１４は、ステップＳ１０４と同様に、位置情報取得部１９１の動作を停止させる（ステップＳ１０９）。また、ステップＳ１０５と同様に、公共交通機関対応視野角となるように視野角可変表示部１８０に対する視野角制御を実行する（ステップＳ１１０）。
【００７２】
次に、移動判定部１１１は、上記ステップＳ１１０により視野角制御が実行されている状態のもとで、移動中の状態ではなくなるのを待機している（ステップＳ１１１−ＮＯ）。そして、例えば携帯電話１００のユーザがこれまで乗車していた車両から降車したのに応じて、移動判定部１１１により移動中の状態ではなくなったと判定されると（ステップＳ１１１−ＹＥＳ）、ステップＳ１０１に戻る。
【００７３】
次に、先のステップＳ１０８において移動中の状態ではないと判定された場合（ステップＳ１０８−ＮＯ）、視野角制御部１１４は、送受信部１４０が基地局から受信した端末数情報を入力する（ステップＳ１１２）。そして、入力した端末数情報が示す端末数が一定以上であるか否かについて判定する（ステップＳ１１３）。
【００７４】
ここで、端末数が一定以上であると判定した場合（ステップＳ１１３−ＹＥＳ）、視野角制御部１１４は、位置情報取得部１９１の動作を停止させる（ステップＳ１１４）。また、これとともに、視野角制御部１１４は、端末数に応じた視野角を求め、この設定した視野角となるように視野角可変表示部１８０に対する視野角制御を実行する（ステップＳ１１５）。
【００７５】
視野角制御部１１４は、上記ステップＳ１１５による視野角制御を実行している状態のもとで、端末数が一定未満となるのを待機しており（ステップＳ１１６−ＮＯ）、端末数が一定未満になったことを判定すると（ステップＳ１１６−ＹＥＳ）、ステップＳ１０１に戻る。
【００７６】
また、ステップＳ１１３において端末数が一定以上ではないと判定した場合、視野角制御部１１４は、位置情報取得部１９１を動作させて位置情報を取得させ、この位置情報を入力する（ステップＳ１１７）。次に、視野角制御部１１４は、位置情報／視野角テーブル１２１を参照して、上記ステップＳ１１７により取得した位置情報に対応付けられている視野角を検索する（ステップＳ１１８）。
【００７７】
なお、ステップＳ１１７により取得した位置情報と位置情報／視野角テーブル１２１に格納される位置情報が完全に一致していなくとも、両者が近似していれば、同じ場所や環境におかれているとみてよい。そこで、視野角を検索する際には、位置情報取得部１９１により取得された位置情報に対して一定のマージンを与えて、このマージン範囲に含まれる位置情報を一致したものとしてあつかうこととする。または、位置情報／視野角テーブル１２１に格納される位置情報について、対応の場所に応じた範囲を設定してもよい。そして、視野角制御部１１４は、上記のように検索した視野角となるように視野角可変表示部１８０に対する視野角制御を実行する（ステップＳ１１９）。
【００７８】
図８は、ＣＰＵ１１０における視野角補正部１１５が実行する視野角補正のための処理手順例を示している。まず、視野角補正部１１５は、光度センサ１９３にて検出されている光度値を入力する（ステップＳ２０１）。次に、視野角補正部１１５は、入力した光度値に基づいて補正量を算出する（ステップＳ２０２）。
【００７９】
なお、補正量算出処理の具体例についてはいくつか考えられるが、例えば、所定の関数に対して光度値を代入して演算を行うことにより補正量を求めることが考えられる。また、補正量としては、視野角制御部１１４が設定した視野角に対する増減値とすることが考えられる。また、視野角制御部１１４が設定した視野角に対する補正比率とすることも考えられる。
【００８０】
次に、視野角補正部１１５は、上記ステップＳ２０２により算出した補正量に基づいて、前述のように視野角制御部１１４により視野角可変表示部１８０に対して設定された視野角を補正する（ステップＳ２０３）。
【００８１】
上記のように視野角補正部１１５が処理を実行することにより、携帯電話１００の周囲の明るさに応じて視野角可変表示部１８０の視野角が調整されることになる。
【００８２】
図９のフローチャートは、通信履歴情報管理部１１２が通信履歴情報１２２を作成するための処理手順例を示している。通信履歴情報管理部１１２は、ＲＦＩＤタグ１９４による乗車対応通信が実行されるのを待機している（ステップＳ３０１−ＮＯ）。そして、乗車対応通信が実行されたことを判定すると、記憶部１２０に記憶されている通信履歴情報１２２を参照する（ステップＳ３０２）。
【００８３】
次に、通信履歴情報管理部１１２は、上記ステップＳ３０２により通信履歴情報１２２を参照した結果から、今回の乗車対応通信により取得された乗車履歴情報と同じ内容とみなされる乗車履歴情報が通信履歴情報１２２に登録済みであるか否かについて判定する（ステップＳ３０３）。
【００８４】
ここで、今回の乗車対応通信により取得された乗車履歴情報は通信履歴情報１２２に登録済みであると判定されたとする（ステップＳ３０３−ＹＥＳ）。この場合、今回のＲＦＩＤタグ１９４の通信は、通勤や通学などのためにいつもとほぼ同じ同時刻に改札口を通過するという既定の動作に対応して行われたものであることになる。したがって、今回のＲＦＩＤタグ１９４の通信結果（乗車履歴情報）については、通信履歴情報１２２に新規登録する必要はない。そこで、この場合にはステップＳ３０１に戻る。
【００８５】
これに対して、今回の乗車対応通信により取得された乗車履歴情報が登録済みではないと判定した場合（ステップＳ３０３−ＮＯ）、通信履歴情報管理部１１２は、今回のＲＦＩＤタグ１９４の通信結果としての乗車履歴情報を、通信履歴情報１２２に対して新規に登録する（ステップＳ３０４）。
【００８６】
次に、通信履歴情報管理部１１２は、今回の乗車に対応する降車により、ＲＦＩＤタグ１９４により降車対応通信が実行されるのを待機している（ステップＳ３０５）。そして、降車対応通信が実行されたことを判定すると、通信履歴情報管理部１１２は、この降車対応通信の結果としての降車履歴情報を、ステップＳ３０４により登録した乗車履歴情報に対応付けるように通信履歴情報１２２に登録し（ステップＳ３０６）、ステップＳ３０１に戻る。
【００８７】
上記の処理が実行されることにより、ユーザが携帯電話１００のＲＦＩＤタグ１９４を乗車カードとして使用して公共交通機関を利用するのに応じて、通信履歴情報１２２の新規登録を行っていくことができる。
【００８８】
なお、図７に示した処理では、以下の４つの視野角制御が可能とされている。つまり、位置情報取得部１９１により取得される位置情報に基づく視野角制御、ＲＦＩＤタグ１９４の通信結果が通信履歴情報１２２に登録済みである場合の視野角制御、加速度値に基づいて一定以上の速度で移動中であると判定された場合の視野角制御、および、端末数情報に基づく視野角制御が可能とされている。そして、これら４つの視野角制御のうちの１つが択一的に行われるものとしている。
【００８９】
しかし、例えば端末数情報に基づく視野角制御に関しては、他の３つの視野角制御と併用することが可能である。つまり、例えば図７のステップＳ１０５、Ｓ１１０およびＳ１１９のいずれかにより視野角制御を実行しているときに、端末数情報が示す端末数に応じて視野角を調整するように変更するというものである。なお、この処理を採用する場合には、端末数情報が示す端末数を視野角の補正に利用しているとみることができる。
【００９０】
また、次のような視野角制御も考えられる。つまり、画面を見られたくない人の顔を撮像した画像データを予め登録しておく。そして、撮像部１６０により撮像された画像において登録された顔が存在していることが認識された場合に視野角を狭くするように制御するというものである。
【００９１】
また、これまでの説明では、視野角制御に際して、視野角可変表示部１８０の表示画面部全体の視野角を変更することとしているが、表示画面部において例えばメールアドレスが表示された部分のみの視野角を狭くするなど、表示画面部における所定の一部領域のみの視野角を制御するように構成することとしてもよい。
【００９２】
また、上記実施形態においては、折りたたみ型の携帯電話１００に備えられる視野角可変表示部１８０の視野角制御を行う場合を例に挙げているが、これ以外のタイプの携帯電話やスマートフォンといわれる携帯端末にも適用することができる。さらに、近年普及しつつある、スマートフォンより大型のタブレット端末といわれる携帯型端末装置などにも適用することができる。
【００９３】
また、上述の携帯電話１００は、内部にコンピュータシステムを有している。そして、上述した各処理の過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【００９４】
また、図４における各機能部を実現するためのプログラムをコンピュータ読み取り可能な記録媒体に記録して、この記録媒体に記録されたプログラムをコンピュータシステムに読み込ませ、実行することにより、これまでに説明した視野角制御に関連する動作を行ってもよい。なお、ここでいう「コンピュータシステム」とは、ＯＳや周辺機器等のハードウェアを含むものとする。また、「コンピュータシステム」は、ホームページ提供環境（あるいは表示環境）を備えたＷＷＷシステムも含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。
【００９５】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【符号の説明】
【００９６】
１００  携帯電話
１０１  上側筐体部
１０２  下側筐体部
１１０  ＣＰＵ
１１１  移動判定部
１１２  通信履歴情報管理部
１１３  登録状況判定部
１１４  視野角制御部
１１５  視野角補正部
１２０  記憶部
１２１  位置情報／視野角テーブル
１２２  通信履歴情報
１４０  送受信部
１５０  音声入出力部
１６０  撮像部
１７０  操作部
１８０  視野角可変表示部
１９０  センサ部
１９１  位置情報取得部
１９２  加速度センサ
１９３  光度センサ
１９４  ＲＦＩＤタグ
【図１】
2013015649.tif 000003
【図２】
2013015649.tif 000004
【図３】
2013015649.tif 000005
【図４】
2013015649.tif 000006
【図５】
2013015649.tif 000007
【図６】
2013015649.tif 000008
【図７】
2013015649.tif 000009
【図８】
2013015649.tif 000010
【図９】
2013015649.tif 000011